(57)【要約】【課題】画面操作に関して利用者の利便性を向上させること。【解決手段】電子機器（例えば、スマートフォン）１は、タッチスクリーンディスプレイ２と、コントローラ１０とを備える。タッチスクリーンディスプレイ２は、第１表示領域と第２表示領域とを有する画面を表示する。コントローラ１０は、画面の第１表示領域に第１画像を表示させるとともに、当該第１表示領域において操作を検出した位置に関する第１画像の情報を第２表示領域に表示させる。【選択図】図３
2015106181.tif 000002
【特許請求の範囲】
【請求項１】
第１表示領域と第２表示領域とを有する画面を表示するタッチスクリーンディスプレイと、
前記第１表示領域に第１画像を表示させるとともに、当該第１表示領域において操作を検出した位置に関する情報を前記第２表示領域に表示させるコントローラと
を備える電子機器。
【請求項２】
前記情報は、前記位置の近傍を拡大又は縮小した情報である請求項１に記載の電子機器。
【請求項３】
前記第１画像は、他の画像を表示させるための第１オブジェクトを有し、
前記コントローラは、前記操作を検出した前記位置の近傍に前記第１オブジェクトが存在する場合、前記第１オブジェクトに関する情報を前記第２表示領域に表示させる請求項２に記載の電子機器。
【請求項４】
前記コントローラは、前記操作を検出した位置を示す第２オブジェクトをさらに前記第２表示領域に表示させる請求項３に記載の電子機器。
【請求項５】
前記コントローラは、前記操作を検出した位置の近傍のオブジェクトのうち前記第１オブジェクトのみを前記第２表示領域に表示させる請求項３に記載の電子機器。
【請求項６】
前記コントローラは、前記操作を検出した位置の近傍に複数の前記第１オブジェクトが存在する場合、複数の前記第１オブジェクトの一覧を前記第２表示領域に表示させる請求項４に記載の電子機器。
【請求項７】
前記操作は、前記第１表示領域の上に物体を近づける操作であり、
前記コントローラは、近づけた前記物体と前記タッチスクリーンディスプレイとの距離に応じた倍率で前記情報を前記第２表示領域に表示させる請求項２に記載の電子機器。
【請求項８】
前記コントローラは、前記タッチスクリーンディスプレイの面方向に沿った方向への前記近づけた物体の移動を検出した場合に、前記情報の表示を維持させる請求項７に記載の電子機器。
【請求項９】
前記コントローラは、前記第１表示領域に対するピンチ操作を検出した場合に、検出した前記ピンチ操作に応じて前記情報を拡大又は縮小させる請求項２に記載の電子機器。
【請求項１０】
前記コントローラは、
検出した前記ピンチ操作の操作量が予め設定された閾値に到達していない場合、前記第１表示領域に表示させている前記第１画像の表示サイズを維持したままで、前記情報を拡大又は縮小させ、
検出した前記操作量が前記閾値に到達した場合、前記第１表示領域に表示させている第１画像の倍率を、前記操作量に応じて変更するように制御する請求項９に記載の電子機器。
【請求項１１】
前記コントローラは、倍率を、前記情報とともに前記第２表示領域に表示させる請求項２に記載の電子機器。
【請求項１２】
前記コントローラは、前記第１表示領域に対するピンチ操作を検出した場合に、検出した当該ピンチ操作の操作位置を示す第２オブジェクトを、前記情報とともに前記第２表示領域に表示させ、前記第１表示領域に表示している前記第１画像を前記ピンチ操作の操作量に応じて拡大又は縮小させるように制御する請求項２に記載の電子機器。
【請求項１３】
前記コントローラは、前記ピンチ操作を複数回検出した場合に、それぞれのピンチ操作を検出した位置を前記第２表示領域に表示させる請求項１２に記載の電子機器。
【請求項１４】
前記第１表示領域および前記第２表示領域は、スクロール可能な表示領域であり、
前記コントローラは、前記情報を前記第２表示領域に表示させている場合に、前記第１表示領域に対するスクロール操作を検出すると、検出した前記スクロール操作に応じた第１速度で前記第１表示領域をスクロールさせ、前記第１速度とは異なる第２速度で前記第２表示領域をスクロールさせる請求項１又は２に記載の電子機器。
【請求項１５】
タッチスクリーンディスプレイを備えた電子機器の制御方法であって、
第１表示領域と第２表示領域とを有する画面を前記タッチスクリーンディスプレイに表示させるステップと、
前記第１表示領域に第１画像を表示させるステップと、
前記第１表示領域において操作を検出した位置に関する前記第１画像の情報を前記第２表示領域に表示させるステップと
を含む制御方法。
【請求項１６】
タッチスクリーンディスプレイを備えた電子機器に、
第１表示領域と第２表示領域とを有する画面を前記タッチスクリーンディスプレイに表示させるステップと、
前記第１表示領域に第１画像を表示させるステップと、
前記第１表示領域において操作を検出した位置に関する前記第１画像の情報を前記第２表示領域に表示させるステップと
を実行させる制御プログラム。
【発明の詳細な説明】
【技術分野】
【０００１】
本出願は、電子機器、制御方法、及び制御プログラムに関する。特に、本出願は、タッチスクリーンを有する電子機器、その電子機器を制御する制御方法、及びその電子機器を制御するための制御プログラムに関する。
【背景技術】
【０００２】
タッチスクリーンディスプレイを備えるタッチスクリーンデバイスが知られている。タッチスクリーンデバイスは、例えば、スマートフォン及びタブレットを含むが、これらに限定されない。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、及びＷｉｎｄｏｗｓ（登録商標）  Ｐｈｏｎｅを含むが、これらに限定されない。
【先行技術文献】
【特許文献】
【０００４】
【特許文献１】国際公開第２００８／０８６３０２号
【発明の概要】
【発明が解決しようとする課題】
【０００５】
タッチスクリーンデバイスは、利用者による直感的な画面操作を可能にするが、タッチスクリーンデバイスにおける画面操作には改善の余地がある。このような理由から、画面操作に関して利用者の利便性を向上させることができる電子機器、制御方法、及び制御プログラムに対するニーズがある。
【課題を解決するための手段】
【０００６】
１つの態様に係る電子機器は、第１表示領域と第２表示領域とを有する画面を表示するタッチスクリーンディスプレイと、前記第１表示領域に第１画像を表示させるとともに、当該第１表示領域において操作を検出した位置に関する情報を前記第２表示領域に表示させるコントローラとを備える。
【０００７】
１つの態様に係る制御方法は、タッチスクリーンディスプレイを備えた電子機器の制御方法であって、第１表示領域と第２表示領域とを有する画面を前記タッチスクリーンディスプレイに表示させるステップと、前記第１表示領域に第１画像を表示させるステップと、前記第１表示領域において操作を検出した位置に関する情報を前記第２表示領域に表示させるステップとを含む。
【０００８】
１つの態様に係る制御プログラムは、タッチスクリーンディスプレイを備えた電子機器に、第１表示領域と第２表示領域とを有する画面を前記タッチスクリーンディスプレイに表示させるステップと、前記第１表示領域に第１画像を表示させるステップと、前記第１表示領域において操作を検出した位置に関する情報を前記第２表示領域に表示させるステップとを実行させる。
【図面の簡単な説明】
【０００９】
【図１】図１は、スマートフォンの正面図である。
【図２】図２は、スマートフォンの背面図である。
【図３】図３は、スマートフォンのブロック図である。
【図４】図４は、スマートフォンの画面構成の例を説明するための図である。
【図５】図５は、スマートフォンによる表示制御の第１の例を示す図である。
【図６】図６は、スマートフォンによる表示制御の第１の例の処理手順を示すフローチャートである。
【図７】図７は、スマートフォンによる表示制御の第２の例を示す図である。
【図８】図８は、スマートフォンによる表示制御の第２の例の処理手順を示すフローチャートである。
【図９】図９は、スマートフォンによる表示制御の第２の例の変形例を示す図である。
【図１０】図１０は、スマートフォンによる表示制御の第３の例を示す図である。
【図１１】図１１は、スマートフォンによる表示制御の第３の例の処理手順を示すフローチャートである。
【図１２】図１２は、スマートフォンによる表示制御の第４の例を示す図である。
【図１３】図１３は、スマートフォンによる表示制御の第４の例の処理手順を示すフローチャートである。
【図１４】図１４は、スマートフォンによる表示制御の第５の例を示す図である。
【図１５】図１５は、スマートフォンによる表示制御の第５の例の処理手順を示すフローチャートである。
【図１６】図１６は、スマートフォンによる表示制御の第６の例を示す図である。
【図１７】図１７は、スマートフォンによる表示制御の第６の例の処理手順を示すフローチャートである。
【図１８】図１８は、スマートフォンによる表示制御の第７の例を示す図である。
【図１９】図１９は、スマートフォンによる表示制御の第７の例の処理手順を示すフローチャートである。
【発明を実施するための形態】
【００１０】
本発明を実施するための実施形態を、図面を参照しつつ詳細に説明する。以下では、タッチスクリーンディスプレイを備える電子機器の例として、スマートフォンについて説明する。
【００１１】
（実施形態）
図１及び２を参照しながら、実施形態に係るスマートフォン１の全体的な構成について説明する。図１及び２に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１２】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１３】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１４】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１５】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト」又は「接触物」と呼ぶことがある。
【００１６】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１７】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１８】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００１９】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２０】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２１】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２２】
「フリック」は、指が、タッチスクリーン２Ｂに触れた後移動しながらタッチスクリーン２Ｂから離れるジェスチャである。すなわち、「フリック」は、タッチに続いて指が移動しながらリリースが行われるジェスチャである。スマートフォン１は、指が、タッチスクリーン２Ｂに触れた後移動しながらタッチスクリーン２Ｂから離れるジェスチャをフリックとして判別する。フリックは、指が一方方向へ移動しながら行われることが多い。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２３】
「ピンチイン」は、複数の指が互いに近づく方向にスワイプするジェスチャである。スマートフォン１は、タッチスクリーン２Ｂにより検出されるある指の位置と他の指の位置との間の距離が短くなるジェスチャをピンチインとして判別する。「ピンチアウト」は、複数の指が互いに遠ざかる方向にスワイプするジェスチャである。スマートフォン１は、タッチスクリーン２Ｂにより検出されるある指の位置と他の指の位置との間の距離が長くなるジェスチャをピンチアウトとして判別する。
【００２４】
以下の説明では、１本の指により行われるジェスチャを「シングルタッチジェスチャ」と呼び、２本以上の指により行われるジェスチャを「マルチタッチジェスチャ」と呼ぶことがある。マルチタッチジェスチャは、例えば、ピンチインおよびピンチアウトを含む。タップ、フリックおよびスワイプ等は、１本の指で行われればシングルタッチジェスチャであり、２本以上の指で行われればマルチタッチジェスチャである。
【００２５】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別をスマートフォン１がＸと判別すること」を、「スマートフォンがＸを検出する」、又は「コントローラがＸを検出する」と記載することがある。
【００２６】
図３は、スマートフォン１のブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００２７】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２８】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００２９】
ボタン３Ａ〜３Ｃは、例えば、ホームボタン、バックボタン又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３０】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、タッチスクリーンディスプレイ２が顔に近づけられたことを検出する。照度センサ４及び近接センサ５は、一つのセンサとして構成されていてもよい。照度センサ４は、近接センサとして用いられてもよい。
【００３１】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００３２】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００３３】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３４】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００３５】
ストレージ９は、例えば、制御プログラム９Ａ、地図アプリケーション９Ｂ、ブラウザアプリケーション９Ｃ、及び設定データ９Ｚを記憶する。地図アプリケーション９Ｂは、現在地又は任意の場所の地図データを表示するための機能、及び表示した地図データを拡大又は縮小するための機能等を提供する。ブラウザアプリケーション９Ｃは、ＷＥＢページを表示するためのＷＥＢブラウジング機能を提供する。設定データ９Ｚは、スマートフォン１の動作に関する各種の設定に関する情報を含む。
【００３６】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、地図アプリケーション９Ｂ等の他のプログラムが提供する機能と組み合わせて利用されることがある。
【００３７】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００３８】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、及びジャイロスコープ１７を含むが、これらに限定されない。
【００３９】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４０】
カメラ１２は、フロントフェイス１Ａに面している物体を撮影するインカメラである。カメラ１３は、バックフェイス１Ｂに面している物体を撮影するアウトカメラである。
【００４１】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４２】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００４３】
図３においてストレージ９が記憶するプログラム及びデータの一部又は全部は、通信ユニット６による無線通信で他の装置からダウンロードされてもよい。図３においてストレージ９が記憶するプログラム及びデータの一部又は全部は、ストレージ９に含まれる読み取り装置が読み取り可能な非一過的な記憶媒体に記憶されていてもよい。図３においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００４４】
図３に示したスマートフォン１の構成は例であり、本発明の要旨を損なわない範囲において適宜変更してよい。例えば、ボタン３の数と種類は図３の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図３に示した例では、スマートフォン１が２つのカメラを備えるが、スマートフォン１は、１つのカメラのみを備えてもよいし、カメラを備えなくてもよい。図３に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００４５】
図４を参照しながら、スマートフォン１の画面構成について説明する。図４に示すように、スマートフォン１のタッチスクリーンディスプレイ２（ディスプレイ２Ａ）は、２１：９の縦横比を有する。このため、スマートフォン１は、縦横比が２１：９の画面６０を表示することができる。２１：９の縦横比は、映画でしばしば用いられる。
【００４６】
一方、比較例として示したスマートフォン１０１のディスプレイ１０２Ａは、１６：９の縦横比を有する。このため、スマートフォン１は、縦横比が１６：９の画面１６０を表示することができる。１６：９の縦横比は、スマートフォンのディスプレイにおいて、現在最も一般的な縦横比である。
【００４７】
ここで、画面１６０と同じ画面をスマートフォン１のディスプレイ２Ａに表示させると、１６：９の領域が表示に用いられ、残りの５：９の領域は余白となってしまうことがある。すなわち、一般的な縦横比のディスプレイをもつスマートフォン向けに作成された画面をディスプレイ２Ａに表示させると、何も表示されない領域ができてしまうことがある。もちろん、スクロール可能な画面であれば、スクロールによって表示されるはずの部分を表示することによって、５：９の領域を活用することができる。また、画面に配置される項目の間隔を広げることによって、画面を５：９の領域まで引き延ばすこともできる。
【００４８】
しかしながら、画面を引き延ばすと、最適に配置されている項目の間隔が拡がってしまうために、画面の操作性又は視認性が低下してしまうことがある。そこで、スマートフォン１は、縦横比が１６：９の第１表示領域６１と、縦横比が５：９の第２表示領域６２とを画面６０に設け、それぞれの領域に別々の情報を表示することができるように構成されている。例えば、スマートフォン１は、第１表示領域６１に第１画像を表示させ、第１表示領域６１において操作を検出した位置に関する情報を第２表示領域６２に表示させる。第１表示領域６１と第２表示領域６２とに別の情報を表示する機能は、画面６０を提供する個々のアプリケーションプログラムによって提供されてもよいし、制御プログラム９Ａによって提供されてもよい。
【００４９】
図４では、一般的な縦横比の画面を、縦横比を変更することなく表示することができる領域を第１表示領域６１とし、一般的な縦横比の画面を変更することなく表示する場合に余白となる領域を第２表示領域６２とする例を示した。しかしながら、第１表示領域６１及び第２表示領域６２は、これに限定されない。第１表示領域６１及び第２表示領域６２の面積比、配置、形状、及び向き等は、ディスプレイの縦横比及び表示する情報の種類等に応じて任意に変更してよい。
【００５０】
図５を参照しながら、スマートフォン１による表示制御の第１の例について説明する。図５は、スマートフォン１による表示制御の第１の例を示す図である。スマートフォン１は、ステップＳ１では、ブラウザアプリケーション９Ｃを実行し、ブラウザアプリケーション９Ｃが提供する画面６０をタッチスクリーンディスプレイ２（ディスプレイ２Ａ）に表示している。具体的には、スマートフォン１は、ブラウザアプリケーション９Ｃが提供する機能に基づいて、通信ユニット６を用いたインターネット通信によってＷＥＢページを取得し、ＷＥＢページを再生して得た第１画像を第１表示領域６１に表示している。ステップＳ１では、第２表示領域６２には何も表示されていない。
【００５１】
ステップＳ２では、利用者の指Ｆ１が、画面６０の第１表示領域６１をタッチしている。スマートフォン１は、第１表示領域６１に対する操作を検出すると、第１表示領域６１において操作を検出した位置に関する情報を第２表示領域６２に表示する。操作を検出した位置に関する情報は、例えば、第１画像のうち、操作を検出した位置に対応する部分を拡大又は縮小した第２画像である。スマートフォン１は、第１表示領域６１に表示しているＷＥＢページの表示倍率が閾値よりも小さい場合に、第１画像のうち、操作を検出した位置に対応する部分を拡大して第２表示領域６２に表示してもよい。スマートフォン１は、第１表示領域６１に表示しているＷＥＢページの表示倍率が閾値よりも小さくない場合に、第１画像のうち、操作を検出した位置に対応する部分を縮小して第２表示領域６２に表示してもよい。
【００５２】
さらに、スマートフォン１は、第１画像のうち、第１表示領域６１において操作を検出した位置を示す指標オブジェクト６４を、操作を検出した位置に対応する第１画像の部分を拡大又は縮小した第２画像に重ねて第２表示領域６２に表示する。
【００５３】
ステップＳ２で、スマートフォン１が操作を検出した位置の近傍には、リンクオブジェクト６３が存在している。このため、ステップＳ２では、リンクオブジェクト６３が周囲と同様に拡大されて第２表示領域６２に表示されている。リンクオブジェクト６３は、他のＷＥＢページへの参照を含み、スマートフォン１は、リンクオブジェクト６３を選択する操作を検出すると、画面６０に表示するＷＥＢページを、リンクオブジェクト６３が参照しているＷＥＢページへ変更する。リンクオブジェクト６３を選択する操作は、例えば、タップである。
【００５４】
こうして、ステップＳ２では、拡大されたリンクオブジェクト６３及びその周囲と、第１表示領域６１において操作を検出した位置を示す指標オブジェクト６４とが第２表示領域６２に表示されている。ＷＥＢページを縮小表示すると、ＷＥＢページ全体を見渡すことが容易になるが、表面積が比較的大きい指で細かい操作を行うことは困難であるために、所望のリンクをうまく操作することができない場合がある。拡大されたリンクオブジェクト６３及びその周囲と、指標オブジェクト６４とを第２表示領域６２に表示することにより、利用者は、現在操作している位置とリンクオブジェクト６３の位置との関係を容易に把握することができ、リンクオブジェクト６３を操作しやすくなる。
【００５５】
ステップＳ３では、利用者は、把握した位置関係に基づいて指Ｆ１の位置を調整し、第１表示領域６１においてリンクオブジェクト６３をタップしている。このとき、第２表示領域６２では、リンクオブジェクト６３に指標オブジェクト６４が重なって表示されている。スマートフォン１は、第１表示領域６１のリンクオブジェクト６３に対するタップを検出すると、画面６０に表示するＷＥＢページを、リンクオブジェクト６３が参照しているＷＥＢページへ変更する。
【００５６】
その結果、ステップＳ４では、画面６０が更新され、リンクオブジェクト６３が参照しているＷＥＢページを再生して得た第１画像が第１表示領域６１に表示されている。第２表示領域６２には何も表示しない状態に戻っている。
【００５７】
このように、スマートフォン１は、第１表示領域６１に第１画像を表示しているときに第１表示領域６１に対する操作を検出すると、操作を検出した位置に関する情報を第２表示領域６２に表示する。これにより、スマートフォン１は、第１画像のうち、利用者が関心のある部分に関する情報を、第１表示領域６１に第１画像を表示したままで第２表示領域６２に表示することができる。
【００５８】
さらに、スマートフォン１は、第１表示領域６１において操作を検出した位置を示す指標オブジェクト６４を第２表示領域６２に表示する。これにより、スマートフォン１は、第１画像のうち、利用者が関心のある部分と、実際に操作された位置との位置関係を利用者に分かりやすく示すことができる。
【００５９】
図６を参照しながら、スマートフォン１による表示制御の第１の例の処理手順について説明する。図６は、スマートフォン１による表示制御の第１の例の処理手順を示すフローチャートである。図６に示す処理手順は、コントローラ１０が制御プログラム９Ａを実行することによって実現される。図６に示す処理手順は、コントローラ１０がディスプレイ２Ａに画面６０を表示させるときに実行される。以下の説明では、リンクオブジェクトを第１オブジェクトと呼び、指標オブジェクトを第２オブジェクトと呼ぶことがある。
【００６０】
図６に示すように、スマートフォン１のコントローラ１０は、ステップＳ１０１として、画面６０の第１表示領域６１に第１画像を表示させる。コントローラ１０は、ステップＳ１０２として、第１表示領域６１において操作を検出したかを判定する。第１表示領域６１において操作を検出していない場合（ステップＳ１０２，Ｎｏ）、コントローラ１０は、ステップＳ１０７に進む。
【００６１】
コントローラ１０は、ステップＳ１０７として、画面６０を別の画面に変更するかを判定する。画面６０を別の画面に変更する場合には、例えば、利用者が画面を切り替える操作を行った場合、及び割り込み処理によって強制的に画面を切り替える場合が含まれる。画面６０を別の画面に変更しない場合（ステップＳ１０７，Ｎｏ）、コントローラ１０は、ステップＳ１０２に戻る。画面６０を別の画面に変更する場合（ステップＳ１０７，Ｙｅｓ）、コントローラ１０は、図６に示す処理手順を終了させる。
【００６２】
第１表示領域６１において操作を検出した場合（ステップＳ１０２，Ｙｅｓ）、コントローラ１０は、ステップＳ１０３に進む。コントローラ１０は、ステップＳ１０３として、第１表示領域６１において操作を検出した位置に関する情報を第２表示領域６２に表示させる。そして、コントローラ１０は、ステップＳ１０４として、第１表示領域６１において操作を検出した位置を示す第２オブジェクトを第２表示領域６２に表示させる。
【００６３】
続いて、コントローラ１０は、ステップＳ１０５として、第１オブジェクトの選択を検出したかを判定する。第１オブジェクトの選択を検出している場合（ステップＳ１０５，Ｙｅｓ）、コントローラ１０は、ステップＳ１０６に進む。コントローラ１０は、ステップＳ１０６として、第１オブジェクトに応じた画像を第１表示領域６１に表示し、第２表示領域６２をクリアする。第１オブジェクトの選択を検出していない場合（ステップＳ１０５，Ｎｏ）、ステップＳ１０６は実行されない。
【００６４】
その後、コントローラ１０は、既に説明したステップＳ１０７へ進む。
【００６５】
スマートフォン１は、第２表示領域６２に表示されている第１オブジェクトを選択する操作を検出した場合に、第１表示領域６１に表示されている第１オブジェクトを選択する操作を検出した場合と同様の処理を実行してもよい。
【００６６】
図７を参照しながら、スマートフォン１による表示制御の第２の例について説明する。図７は、スマートフォン１による表示制御の第２の例を示す図である。
【００６７】
スマートフォン１は、ステップＳ１１では、ブラウザアプリケーション９Ｃを実行し、ブラウザアプリケーション９Ｃが提供する画面６０をタッチスクリーンディスプレイ２（ディスプレイ２Ａ）に表示している。具体的には、スマートフォン１は、ブラウザアプリケーション９Ｃが提供する機能に基づいて、通信ユニット６を用いたインターネット通信によってＷＥＢページを取得し、ＷＥＢページを再生して得た第１画像を第１表示領域６１に表示している。ステップＳ１１では、第２表示領域６２には何も表示されていない。
【００６８】
ステップＳ１１では、利用者の指Ｆ１が、画面６０の第１表示領域６１をタッチしている。タッチされた位置の近傍には、リンクオブジェクト６３ａ及びリンクオブジェクト６３ｂが配置されている。スマートフォン１は、第１表示領域６１に対する操作を検出すると、第１表示領域６１において操作を検出した位置に関する情報を第２表示領域６２に表示する。
【００６９】
表示制御の第２の例では、スマートフォン１は、第１表示領域６１に表示している第１画像において、操作を検出した位置の近傍のオブジェクトのうち、操作に対する処理が割り当てられているオブジェクトのみを第２表示領域６２に表示する。スマートフォン１は、操作に対する処理が割り当てられているオブジェクトに対する操作を検出すると、そのオブジェクトに割り当てられている処理を実行する。操作に対する処理が割り当てられているオブジェクトは、例えば、リンクオブジェクト及びボタンオブジェクト等である。画面６０にＷＥＢページが表示されている場合、ＷＥＢページに対応するＨＴＭＬファイルを解析することで、操作を検出した位置の近傍のオブジェクトのうち、操作に対する処理が割り当てられているオブジェクトを抽出することができる。
【００７０】
ステップＳ１２では、スマートフォン１は、第１表示領域６１において操作を検出した位置の近傍に配置されているリンクオブジェクト６３ａ及びリンクオブジェクト６３ｂを第２表示領域６２に表示している。さらに、スマートフォン１は、操作を検出した位置を示す指標オブジェクト６４を第２表示領域６２に表示している。
【００７１】
このように、スマートフォン１は、第１表示領域６１に第１画像を表示しているときに第１表示領域６１に対する操作を検出すると、操作を検出した位置に関する情報のうち、操作に対する処理が割り当てられているオブジェクトを第２表示領域６２に表示する。これにより、利用者は、操作した位置の近傍に存在する、操作に対する処理が割り当てられているオブジェクトを容易に把握することができる。
【００７２】
さらに、スマートフォン１は、第１表示領域６１において操作を検出した位置を示す指標オブジェクト６４を第２表示領域６２に表示する。これにより、スマートフォン１は、利用者が操作しようとしている可能性が高いオブジェクトと、実際に操作された位置との位置関係を利用者に分かりやすく示すことができる。
【００７３】
図８を参照しながら、スマートフォン１による表示制御の第２の例の処理手順について説明する。図８は、スマートフォン１による表示制御の第２の例の処理手順を示すフローチャートである。図８に示す処理手順は、コントローラ１０が制御プログラム９Ａを実行することによって実現される。図８に示す処理手順は、コントローラ１０がディスプレイ２Ａに画面６０を表示させるときに実行される。
【００７４】
図８に示すように、スマートフォン１のコントローラ１０は、ステップＳ２０１として、画面６０の第１表示領域６１に第１画像を表示させる。コントローラ１０は、ステップＳ２０２として、第１表示領域６１において操作を検出したかを判定する。第１表示領域６１において操作を検出していない場合（ステップＳ２０２，Ｎｏ）、コントローラ１０は、ステップＳ２０７に進む。
【００７５】
コントローラ１０は、ステップＳ２０７として、画面６０を別の画面に変更するかを判定する。画面６０を別の画面に変更する場合には、例えば、利用者が画面を切り替える操作を行った場合、及び割り込み処理によって強制的に画面を切り替える場合が含まれる。画面６０を別の画面に変更しない場合（ステップＳ２０７，Ｎｏ）、コントローラ１０は、ステップＳ２０２に戻る。画面６０を別の画面に変更する場合（ステップＳ２０７，Ｙｅｓ）、コントローラ１０は、図８に示す処理手順を終了させる。
【００７６】
第１表示領域６１において操作を検出した場合（ステップＳ２０２，Ｙｅｓ）、コントローラ１０は、ステップＳ２０３に進む。コントローラ１０は、ステップＳ２０３として、第１表示領域６１において操作を検出した位置の近傍に配置されている第１オブジェクトを第２表示領域６２に表示させる。そして、コントローラ１０は、ステップＳ２０４として、第１表示領域６１において操作を検出した位置を示す第２オブジェクトを第２表示領域６２に表示させる。
【００７７】
続いて、コントローラ１０は、ステップＳ２０５として、第１オブジェクトの選択を検出したかを判定する。第１オブジェクトの選択を検出している場合（ステップＳ２０５，Ｙｅｓ）、コントローラ１０は、ステップＳ２０６に進む。コントローラ１０は、ステップＳ２０６として、第１オブジェクトに応じた画像を第１表示領域６１に表示し、第２表示領域６２をクリアする。第１オブジェクトの選択を検出していない場合（ステップＳ２０５，Ｎｏ）、コントローラ１０は、ステップＳ２０６は実行されない。
【００７８】
その後、コントローラ１０は、既に説明したステップＳ２０７に進む。
【００７９】
スマートフォン１は、第２表示領域６２に表示されている第１オブジェクトを選択する操作を検出した場合に、第１表示領域６１に表示されている第１オブジェクトを選択する操作を検出した場合と同様の処理を実行してもよい。
【００８０】
図９を参照しながら、スマートフォン１による表示制御の第２の例の変形例について説明する。図９は、スマートフォン１による表示制御の第２の例の変形例を示す図である。
【００８１】
スマートフォン１は、ステップＳ２１では、ブラウザアプリケーション９Ｃを実行し、ブラウザアプリケーション９Ｃが提供する画面６０をタッチスクリーンディスプレイ２（ディスプレイ２Ａ）に表示している。具体的には、スマートフォン１は、ブラウザアプリケーション９Ｃが提供する機能に基づいて、通信ユニット６を用いたインターネット通信によってＷＥＢページを取得し、ＷＥＢページを再生して得た第１画像を第１表示領域６１に表示している。ステップＳ２１では、第２表示領域６２には何も表示されていない。
【００８２】
ステップＳ２１では、利用者の指Ｆ１が、画面６０の第１表示領域６１をタッチしている。タッチされた位置の近傍には、リンクオブジェクト６３ａ及びリンクオブジェクト６３ｂが配置されている。スマートフォン１は、第１表示領域６１に対する操作を検出すると、第１表示領域６１において操作を検出した位置に関する情報を第２表示領域６２に表示する。
【００８３】
上述した表示制御の第２の例では、スマートフォン１は、第１表示領域６１において操作を検出した位置の近傍の、操作に対する処理が割り当てられているオブジェクトを、第１表示領域における配置及び表示形態を維持したままで第２表示領域６２に表示する。一方、この変形例では、スマートフォン１は、第１表示領域６１において操作を検出した位置の近傍の、操作に対する処理が割り当てられているオブジェクトを、一覧形式で第２表示領域６２に表示する。ステップＳ２２では、リンクオブジェクト６３ａに対応するリストアイテム６２ａと、リンクオブジェクト６３ｂに対応するリストアイテム６２ｂとを含むリストを第２表示領域６２に表示している。
【００８４】
このように、スマートフォン１は、第１表示領域６１に第１画像を表示しているときに第１表示領域６１に対する操作を検出すると、第１表示領域６１において操作を検出した位置に関する情報のうち、操作に対する処理が割り当てられているオブジェクトを第２表示領域６２に一覧表示する。これにより、利用者は、第１表示領域６１において操作した位置の近傍に存在する、操作に対する処理が割り当てられているオブジェクトをさらに容易に把握することができる。
【００８５】
スマートフォン１は、第２表示領域６２に表示されているリストアイテムを選択する操作を検出した場合に、第１表示領域６１に表示されている対応する第１オブジェクトを選択する操作を検出した場合と同様の処理を実行してもよい。
【００８６】
図１０を参照しながら、スマートフォン１による表示制御の第３の例について説明する。図１０は、スマートフォン１による表示制御の第３の例を示す図である。スマートフォン１は、ステップＳ３１では、ブラウザアプリケーション９Ｃを実行し、ブラウザアプリケーション９Ｃが提供する画面６０をタッチスクリーンディスプレイ２（ディスプレイ２Ａ）に表示している。具体的には、スマートフォン１は、ブラウザアプリケーション９Ｃが提供する機能に基づいて、通信ユニット６を用いたインターネット通信によってＷＥＢページを取得し、ＷＥＢページを再生した第１画像を第１表示領域６１に表示している。ステップＳ３１では、第２表示領域６２には何も表示されていない。
【００８７】
スマートフォン１は、タッチスクリーン２Ｂに近接する物体の位置を検出する機能を有している。具体的には、スマートフォン１は、タッチスクリーン２Ｂの感度を高くすることによって、タッチスクリーンディスプレイ２に接触している物体だけでなく、タッチスクリーンディスプレイ２に近接している物体の位置を３次元的に検出することができる。すなわち、スマートフォン１は、近接している物体に最も近いタッチスクリーンディスプレイ２の表面上の位置の座標と、近接している物体とタッチスクリーンディスプレイ２の表面との距離とを検出することができる。タッチスクリーンディスプレイ２の近傍に位置する物体の検出方法は、これに限定されない。例えば、スマートフォン１は、カメラ１２が撮影する画像、又はタッチスクリーンディスプレイ２に複数配置された受光素子の検出信号に基づいて、タッチスクリーンディスプレイ２に近接する物体の位置を検出してもよい。
【００８８】
ステップＳ３２では、利用者の指Ｆ１が、画面６０の第１表示領域６１に近接し、スマートフォン１が検出可能な範囲に位置している。スマートフォン１は、第１表示領域６１に近接している物体を検出すると、第１画像のうち、近接している物体に最も近い部分を拡大した第２画像を第２表示領域６２に表示する。第２画像の表示倍率は、近接している物体とタッチスクリーンディスプレイ２との距離に基づいて決定される。具体的には、第２画像の表示倍率は、近接している物体とタッチスクリーンディスプレイ２との距離が近いほど高くなる。このため、第２画像は、指Ｆ１がタッチスクリーンディスプレイ２に近づくほど拡大され、指Ｆ１がタッチスクリーンディスプレイ２から遠ざかるほど縮小される。
【００８９】
ステップＳ３３では、利用者の指Ｆ１が、タッチスクリーンディスプレイ２の面方向に沿って水平に移動している。スマートフォン１は、物体がほぼ水平に移動していることを検出すると、第１画像のうち第２画像として表示する部分の移動、及び第２画像の表示倍率の変更を行わずに、第１画像及び第２画像をそのまま表示させる。その結果、利用者は、第１表示領域６１及び第２表示領域６２の内容を維持したままで、指Ｆ１を第２表示領域６２に近接する位置まで移動させることができる。
【００９０】
ほぼ水平な移動は、利用者が指Ｆ１を水平に移動させようとした場合に一般的に生じる上下方向の変位を許容することが好ましい。スマートフォン１は、指Ｆ１の移動する軌跡が上方向又は下方向に所定の範囲で傾いている場合でも、指Ｆ１がほぼ水平に移動していると判定することが好ましい。所定の範囲は、例えば±１０度程度である。
【００９１】
ステップＳ３４では、利用者の指Ｆ１が、第２表示領域６２において、リンクオブジェクト６３をタップしている。スマートフォン１は、タッチスクリーンディスプレイ２に対する物体の接触を検出すると、どのような操作が行われたかを判定し、判定した操作に応じた処理を実行する。スマートフォン１は、リンクオブジェクト６３に対するタップを検出すると、ステップＳ３５として、リンクオブジェクト６３に応じた画像を、第１表示領域６１に表示する。
【００９２】
このように、スマートフォン１は、第１表示領域６１に近接している物体とタッチスクリーンディスプレイ２との距離に応じて、第２表示領域６２に表示する情報の表示倍率を変更する。これにより、スマートフォン１は、第２表示領域６２に表示する情報の表示倍率の変更を、直感的な操作により可能にし、利用者の利便性を向上させることができる。
【００９３】
図１１を参照しながら、スマートフォン１による表示制御の第３の例の処理手順について説明する。図１１は、スマートフォン１による表示制御の第３の例の処理手順を示すフローチャートである。図１１に示す処理手順は、コントローラ１０が制御プログラム９Ａを実行することによって実現される。図１１に示す処理手順は、コントローラ１０がディスプレイ２Ａに画面６０を表示させるときに実行される。
【００９４】
図１１に示すように、スマートフォン１のコントローラ１０は、ステップＳ３０１として、画面６０の第１表示領域６１に第１画像を表示させる。コントローラ１０は、ステップＳ３０２として、タッチスクリーンディスプレイ２に近接又は接触している物体を検出したかを判定する。物体を検出していない場合（ステップＳ３０２，Ｎｏ）、コントローラ１０は、ステップＳ３０８に進む。
【００９５】
コントローラ１０は、ステップＳ３０８として、画面６０を別の画面に変更するかを判定する。画面６０を別の画面に変更する場合には、例えば、利用者が画面を切り替える操作を行った場合、及び割り込み処理によって強制的に画面を切り替える場合が含まれる。画面６０を別の画面に変更しない場合（ステップＳ３０８，Ｎｏ）、コントローラ１０は、ステップＳ３０２に戻る。画面６０を別の画面に変更する場合（ステップＳ３０８，Ｙｅｓ）、コントローラ１０は、図１１に示す処理手順を終了させる。
【００９６】
物体を検出した場合（ステップＳ３０２，Ｙｅｓ）、コントローラ１０は、ステップＳ３０３として、物体がタッチスクリーンディスプレイ２に接触があったかを判定する。接触があった場合（ステップＳ３０４，Ｙｅｓ）、コントローラ１０は、ステップＳ３０５として、どのような操作が行われたかを判定する。操作が検出されなかった場合（ステップＳ３０６，Ｎｏ）、コントローラ１０は、既に説明したステップＳ３０８に進む。操作が検出された場合（ステップＳ３０６，Ｙｅｓ）、コントローラ１０は、ステップＳ３０７として、操作に応じた処理を実行する。そして、コントローラ１０は、既に説明したステップＳ３０８に進む。
【００９７】
接触がなかった場合（ステップＳ３０４，Ｎｏ）、コントローラ１０は、ステップＳ３０９に進む。コントローラ１０は、ステップＳ３０９として、物体がタッチスクリーンディスプレイ２に対してほぼ水平に移動しているかを判定する。物体がほぼ水平に移動していない場合（ステップＳ３０９，Ｎｏ）、コントローラ１０は、ステップＳ３１０に進む。コントローラ１０は、ステップＳ３１０として、第１画像のうち検出位置に対応する部分を第２画像として、物体とタッチスクリーンディスプレイ２との距離に応じた表示倍率で第２表示領域６２に表示させる。物体がほぼ水平に移動している場合（ステップＳ３０９，Ｙｅｓ）、ステップＳ３１０は実行されない。
【００９８】
その後、コントローラ１０は、既に説明したステップＳ３０８に進む。
【００９９】
この例では、物体がタッチスクリーンディスプレイ２に対してほぼ水平に移動している場合に、第１表示領域６１及び第２表示領域６２の内容を維持したが、表示制御はこれに限定されない。スマートフォン１は、物体がタッチスクリーンディスプレイ２に対してほぼ水平に移動していることを検出した場合に、移動方向に応じて、第１表示領域６１及び第２表示領域６２のいずれか、又は両方の内容をスクロールさせてもよい。
【０１００】
図１２を参照しながら、スマートフォン１による表示制御の第４の例について説明する。図１２は、スマートフォン１による表示制御の第４の例を示す図である。
【０１０１】
スマートフォン１は、ステップＳ４１では、地図アプリケーション９Ｂを実行し、地図アプリケーション９Ｂが提供する画面６０をタッチスクリーンディスプレイ２（ディスプレイ２Ａ）に表示している。具体的には、スマートフォン１は、地図アプリケーション９Ｂが提供する機能に基づいて、通信ユニット６を用いたインターネット通信によって地図データを取得し、地図データから生成した第１画像を画面６０の第１表示領域６１に表示する。第２表示領域６２には何かしらの情報が表示されていてもよいし、何も表示されていなくてもよい。
【０１０２】
ステップＳ４２では、利用者が、第１表示領域６１に表示されている第１画像を拡大するために、指Ｆ１及び指Ｆ２を用いて、第１表示領域６１でピンチアウトを開始している。この例では、利用者は、両手を使ってピンチアウトを行っているが、ピンチアウトは片手で行うこともできる。
【０１０３】
スマートフォン１には、第１表示領域６１でのピンチ操作の操作量に関して閾値が設定されている。ピンチ操作の操作量とは、例えば、２本の指の移動量の合計である。第１表示領域６１でのピンチ操作が開始されると、スマートフォン１は、第１画像のうちピンチ操作の開始位置の中心に対応する部分を、第１画像と同じ表示倍率で第２画像として第２表示領域６２に表示する。そして、第１表示領域６１でのピンチ操作の操作量が閾値に達するまでは、スマートフォン１は、ステップＳ４３のように、第１表示領域６１に表示されている第１画像を拡大せずに、第２表示領域６２に表示されている第２画像を操作量に応じて拡大させる。
【０１０４】
ピンチ操作による拡大は、通常、ピンチ操作の開始位置の中心（２つの指が移動を開始した位置の中心）を基準として行われるが、２つの指の中心に拡大したい部分が位置するように指をタッチスクリーンディスプレイ２に正確に置くのが難しいことがある。このため、拡大が開始されて初めて、指を置く位置がずれていたことに気付くことがある。この場合、拡大が実行された後に誤操作に気付くため、拡大前のどの部分を誤って拡大したのかを利用者が容易に把握できずに困ることがある。
【０１０５】
ピンチの操作量が閾値に達するまでは第２表示領域６２の第２画像のみを拡大することにより、利用者は、所望の部分が拡大されているかを確認しながらピンチを実行できる。さらに、第１表示領域６１の第１画像は拡大されていないため、利用者は、指を置く位置がずれていたことに気付いた場合に、位置を容易に修正することができる。このような効果を得るために、ピンチ操作の操作量に関する閾値は、利用者が第２画像を見て所望の位置が拡大されているか否かを確認することができる程度の値に設定される。
【０１０６】
利用者は、所望の位置が拡大されていることを確認すると、ピンチを継続して実行する。そして、ピンチ操作の操作量が閾値に達すると、ステップＳ４４のように、第１表示領域６１に表示されている第１画像を操作量に応じて拡大させ始める。スマートフォン１は、ピンチ操作の操作量が閾値に達したときに、一瞬のうちに、それまでの操作量に応じた倍率で第１画像を拡大させてもよい。あるいは、スマートフォン１は、ピンチ操作の操作量が閾値に達したときに、１〜数秒の時間をかけて、それまでの操作量に応じた倍率になるまで第１画像を徐々に拡大させてもよい。その後は、第１表示領域６１の第１画像は、利用者のピンチ操作に応じて、拡大又は縮小される。
【０１０７】
図１３を参照しながら、スマートフォン１による表示制御の第４の例の処理手順について説明する。図１３は、スマートフォン１による表示制御の第４の例の処理手順を示すフローチャートである。図１３に示す処理手順は、コントローラ１０が制御プログラム９Ａを実行することによって実現される。図１３に示す処理手順は、コントローラ１０がディスプレイ２Ａに画面６０を表示させるときに実行される。
【０１０８】
図１３に示すように、スマートフォン１のコントローラ１０は、ステップＳ４０１として、画面６０の第１表示領域６１に第１画像を表示させる。コントローラ１０は、ステップＳ４０２として、第１表示領域６１に対するピンチ操作を検出したかを判定する。ピンチ操作を検出していない場合（ステップＳ４０２，Ｎｏ）、コントローラ１０は、ステップＳ４０６に進む。
【０１０９】
コントローラ１０は、ステップＳ４０６として、画面６０を別の画面に変更するかを判定する。画面６０を別の画面に変更する場合には、例えば、利用者が画面を切り替える操作を行った場合、及び割り込み処理によって強制的に画面を切り替える場合が含まれる。画面６０を別の画面に変更しない場合（ステップＳ４０６，Ｎｏ）、コントローラ１０は、ステップＳ４０２に戻る。画面６０を別の画面に変更する場合（ステップＳ４０６，Ｙｅｓ）、コントローラ１０は、図１３に示す処理手順を終了させる。
【０１１０】
ピンチ操作を検出した場合（ステップＳ４０２，Ｙｅｓ）、コントローラ１０は、ステップＳ４０３に進む。コントローラ１０は、ステップＳ４０３として、ピンチ操作の操作量が上記の閾値に到達したかを判定する。操作量が閾値に達していない場合（ステップＳ４０３，Ｎｏ）、コントローラ１０は、ステップＳ４０４に進む。コントローラ１０は、ステップＳ４０４として、第１表示領域６１の倍率を保持したままで、第１画像のうち操作位置に対応する部分を第２画像として、操作量に応じた倍率で第２表示領域６２に表示させる。そして、コントローラ１０は、既に説明したステップＳ４０６に進む。
【０１１１】
操作量が閾値に達している場合（ステップＳ４０３，Ｙｅｓ）、コントローラ１０は、ステップＳ４０５に進む。コントローラ１０は、ステップＳ４０５として、第１表示領域６１に表示させている第１画像の倍率を操作量に応じて変更し、変更した倍率で第１画像を表示させる。そして、コントローラ１０は、既に説明したステップＳ４０６に進む。
【０１１２】
図１４を参照しながら、スマートフォン１による表示制御の第５の例について説明する。図１４は、スマートフォン１による表示制御の第５の例を示す図である。
【０１１３】
スマートフォン１は、ステップＳ５１では、地図アプリケーション９Ｂを実行し、地図アプリケーション９Ｂが提供する画面６０をタッチスクリーンディスプレイ２（ディスプレイ２Ａ）に表示している。具体的には、スマートフォン１は、地図アプリケーション９Ｂが提供する機能に基づいて、通信ユニット６を用いたインターネット通信によって地図データを取得し、地図データから生成した第１画像を画面６０の第１表示領域６１に表示する。第２表示領域６２には何かしらの情報が表示されていてもよいし、何も表示されていなくてもよい。
【０１１４】
ステップＳ５２では、第１表示領域６１に表示されている地図データを拡大したい利用者の指Ｆ１が、第１表示領域６１に対してダブルタップしている。スマートフォン１は、第１表示領域６１に対するダブルタップの操作を検出すると、ステップＳ５３として、第１表示領域６１の地図データを拡大した第２画像（情報）を第２表示領域６２に表示する。第２画像の拡大倍率は、予め決められていてもよいし、操作の種類、回数、間隔、及び強度等に応じて決定してもよい。第２画像の拡大倍率を変化させる操作は、ダブルタップではなく、ロングタッチ等の他の操作でもよい。
【０１１５】
スマートフォン１は、第１表示領域６１において操作を検出した位置に対応する位置を示す指標オブジェクト６４を第１表示領域６１及び第２表示領域６２に表示する。さらに、スマートフォン１は、第２画像の拡大倍率を示す倍率オブジェクト６６を第２表示領域６２に表示する。ステップＳ５３では、第２画像の拡大倍率が「５」倍であることを示す倍率オブジェクト６６が第２表示領域６２に表示されている。
【０１１６】
このように、スマートフォン１が第１表示領域６１に地図データを表示する場合に、第１表示領域６１に対するダブルタップの操作を検出すると、拡大又は縮小された第２画像と第２画像の表示倍率とを第２表示領域６２に表示する。これにより、スマートフォン１は、第１表示領域６１に表示している第１画像を利用者に簡単な操作で拡大させることができる。本実施形態では、スマートフォン１は、第１画像に対する所定の操作を検出した場合に、第１画像を拡大させる場合について説明したが、これに限定されない。例えば、スマートフォン１は、第１画像に対する所定の操作を検出した場合に、第１画像を縮小させるように構成されてもよい。
【０１１７】
図１５を参照しながら、スマートフォン１による表示制御の第５の例の処理手順について説明する。図１５は、スマートフォン１による表示制御の第５の例の処理手順を示すフローチャートである。図１５に示す処理手順は、コントローラ１０が制御プログラム９Ａを実行することによって実現される。図１５に示す処理手順は、コントローラ１０がディスプレイ２Ａに画面６０を表示させるときに実行される。
【０１１８】
図１５に示すように、スマートフォン１のコントローラ１０は、ステップＳ５０１として、画面６０の第１表示領域６１に第１画像を表示させる。コントローラ１０は、ステップＳ５０２として、第１表示領域６１に対する操作を検出したかを判定する。操作を検出していない場合（ステップＳ５０２，Ｎｏ）、コントローラ１０は、ステップＳ５０６に進む。
【０１１９】
コントローラ１０は、ステップＳ５０６として、画面６０を別の画面に変更するかを判定する。画面６０を別の画面に変更する場合には、例えば、利用者が画面を切り替える操作を行った場合、及び割り込み処理によって強制的に画面を切り替える場合が含まれる。画面６０を別の画面に変更しない場合（ステップＳ５０６，Ｎｏ）、コントローラ１０は、ステップＳ５０２に戻る。画面６０を別の画面に変更する場合（ステップＳ５０６，Ｙｅｓ）、コントローラ１０は、図１５に示す処理手順を終了させる。
【０１２０】
操作を検出した場合（ステップＳ５０２，Ｙｅｓ）、コントローラ１０は、ステップＳ５０３に進む。コントローラ１０は、ステップＳ５０３として、第１画像のうち操作位置に対応する部分の表示倍率を変更し、第２画像として第２表示領域６２に表示させる。コントローラ１０は、ステップＳ５０４として、表示倍率を第２表示領域６２に表示させる。コントローラ１０は、ステップＳ５０５として、操作位置を示す第２オブジェクトを、第１表示領域６１及び第２表示領域６２に表示させる。そして、コントローラ１０は、既に説明したステップＳ５０６に進む。
【０１２１】
図１６を参照しながら、スマートフォン１による表示制御の第６の例について説明する。図１６は、スマートフォン１による表示制御の第６の例を示す図である。
【０１２２】
スマートフォン１は、ステップＳ６１では、地図アプリケーション９Ｂを実行し、地図アプリケーション９Ｂが提供する画面６０をタッチスクリーンディスプレイ２（ディスプレイ２Ａ）に表示している。具体的には、スマートフォン１は、地図アプリケーション９Ｂが提供する機能に基づいて、通信ユニット６を用いたインターネット通信によって地図データを取得し、地図データから生成した第１画像を画面６０の第１表示領域６１に表示する。第２表示領域６２には何かしらの情報が表示されていてもよいし、何も表示されていなくてもよい。
【０１２３】
ステップＳ６２では、第１表示領域６１に表示されている地図データを拡大したい利用者の指Ｆ１、Ｆ２が、ピンチアウトの操作を行い、その後ピンチアウトの操作を終了している。
【０１２４】
スマートフォン１は、第１表示領域６１に対するピンチ操作を検出すると、ステップＳ６３として、第１表示領域６１に表示している第１画像を第２画像として第２表示領域６２に表示する。すなわち、スマートフォン１は、拡大前の第１画像を第２画像として、第２表示領域６２に表示する。第２画像は、第１画像と同じ倍率で、操作位置を中心とした第１画像である。スマートフォン１は、ピンチアウトの操作位置を示す指標オブジェクト６４を第２表示領域６２に表示する。そして、スマートフォン１は、ステップＳ６３として、操作量に応じた倍率で第１画像を拡大して第１表示領域６１に表示する。
【０１２５】
このように、スマートフォン１は、第１表示領域６１に対するピンチ操作を検出すると、拡大又は縮小前の第１画像を第２画像として第２表示領域６２に表示し、第１表示領域６１の第１画像を操作量に応じた倍率で拡大又は縮小する。これにより、スマートフォン１は、利用者が第１表示領域６１の第１画像を拡大又は縮小させても、第２表示領域６２に表示している拡大又は縮小前の第１画像を利用者に確認させることができる。
【０１２６】
第１表示領域６１に対するピンチアウトの操作が終了した後、利用者は、当該操作位置の近傍に対して２回のピンチアウトの操作を続けて行っている。スマートフォン１は、ピンチアウトを検出するごとに、操作量に応じた倍率となるように、第１表示領域６１に表示している第１画像を変更している。この場合、スマートフォン１は、第２表示領域６２に表示している第２画像は変更していない。スマートフォン１は、ステップＳ６４として、ピンチアウトを検出した操作位置を示す複数の指標オブジェクト６４を第２表示領域６２に表示する。複数の指標オブジェクト６４は、例えば、異なる表示色で表示したり、操作順番を示すように表示してもよい。これにより、利用者は、第２表示領域６２に表示された複数の指標オブジェクト６４を参照することで、拡大又は縮小前の第１画像における操作位置の履歴を確認することができる。
【０１２７】
図１７を参照しながら、スマートフォン１による表示制御の第６の例の処理手順について説明する。図１７は、スマートフォン１による表示制御の第６の例の処理手順を示すフローチャートである。図１７に示す処理手順は、コントローラ１０が制御プログラム９Ａを実行することによって実現される。図１７に示す処理手順は、コントローラ１０がディスプレイ２Ａに画面６０を表示させるときに実行される。
【０１２８】
図１７に示すように、スマートフォン１のコントローラ１０は、ステップＳ６０１として、画面６０の第１表示領域６１に第１画像を表示させる。コントローラ１０は、ステップＳ６０２として、第１表示領域６１に対するピンチ操作を検出したかを判定する。ピンチ操作を検出していない場合（ステップＳ６０２，Ｎｏ）、コントローラ１０は、ステップＳ６０７に進む。
【０１２９】
コントローラ１０は、ステップＳ６０７として、画面６０を別の画面に変更するかを判定する。画面６０を別の画面に変更する場合には、例えば、利用者が画面を切り替える操作を行った場合、及び割り込み処理によって強制的に画面を切り替える場合が含まれる。画面６０を別の画面に変更しない場合（ステップＳ６０７，Ｎｏ）、コントローラ１０は、ステップＳ６０２に戻る。画面６０を別の画面に変更する場合（ステップＳ６０７，Ｙｅｓ）、コントローラ１０は、図１７に示す処理手順を終了させる。
【０１３０】
ピンチ操作を検出した場合（ステップＳ６０２，Ｙｅｓ）、コントローラ１０は、ステップＳ６０３に進む。コントローラ１０は、ステップＳ６０３として、第２表示領域６２に第２画像を表示中であるかを判定する。表示中ではない場合（ステップＳ６０３，Ｎｏ）、コントローラ１０は、ステップＳ６０４に進む。コントローラ１０は、ステップＳ６０４として、第１表示領域６１に表示させている第１画像を第２画像として第２表示領域６２に表示させる。表示中である場合（ステップＳ６０３，Ｙｅｓ）、検出したピンチ操作は連続したピンチ操作であり、コントローラ１０は、ステップＳ６０４を行わない。
【０１３１】
コントローラ１０は、ステップＳ６０５として、ピンチ位置を示す第２オブジェクトを第２表示領域６２に表示させる。コントローラ１０は、ステップＳ６０６として、第１表示領域６１に表示させている第１画像の倍率をピンチ操作の操作量に応じて変更し、変更した倍率で第１画像を表示させる。そして、コントローラ１０は、既に説明したステップＳ６０７に進む。
【０１３２】
図１８を参照しながら、スマートフォン１による表示制御の第７の例について説明する。図１８は、スマートフォン１による表示制御の第７の例を示す図である。スマートフォン１は、ステップＳ７１では、ブラウザアプリケーション９Ｃを実行し、ブラウザアプリケーション９Ｃが提供する画面６０をタッチスクリーンディスプレイ２（ディスプレイ２Ａ）に表示している。具体的には、スマートフォン１は、ブラウザアプリケーション９Ｃが提供する機能に基づいて、通信ユニット６を用いたインターネット通信によってＷＥＢページを取得し、ＷＥＢページを再生した第１画像を第１表示領域６１に表示している。
【０１３３】
スマートフォン１は、第１画像のうち、第１表示領域６１に表示している部分に対応する領域を第２画像として第２表示領域６２に表示している。第１表示領域６１に表示している部分に対応する領域は、例えば、第１画像のうち、第１表示領域６１に表示されている部分の一部、全体、又はそれを含むより広い領域である。第２画像の初期の表示倍率は、予め設定された倍率である。第２画像の表示倍率は、利用者の操作に応じて変更可能であってもよい。
【０１３４】
さらに、スマートフォン１は、ＷＥＢページを再生した第１画像のうち、第１表示領域６１に表示されているのがどの部分であるかを示すインジケータ６１ａを第１表示領域６１に表示している。
【０１３５】
ステップＳ７２では、利用者の指Ｆ１が、第１表示領域６１に対してスクロール操作を行っている。具体的には、利用者は、指Ｆ１を用いて、第１表示領域６１で下フリックを行っている。
【０１３６】
スマートフォン１は、第１表示領域６１に対するスクロール操作を検出すると、ステップＳ７３として、第１表示領域６１を、スクロール操作に応じた第１速度で操作方向にスクロールさせる。さらに、スマートフォン１は、第１表示領域６１をスクロールさせている第１速度とは異なる第２速度で、第２表示領域６２をスクロールさせる。
【０１３７】
第１表示領域６１に表示している第１画像を拡大した第２画像を第２表示領域６２に表示している場合に、第２表示領域６２を第１表示領域６１と同じ第１速度でスクロールさせると、第２表示領域６２は視認が困難な速度でスクロールされることになる。このため、スマートフォン１は、第２速度を、第１速度よりも遅い速度に設定する。これにより、スマートフォン１は、第１表示領域６１に連動して第２表示領域６２をスクロールしても、第２表示領域６２の表示内容を利用者に視認させることができる。第２速度は、スクロール操作の速度にかかわらず、一定の速度であってもよい。第２速度は、利用者がスクロール中の情報の内容を認識できる程度の速度であることが好ましい。
【０１３８】
さらに、スマートフォン１は、第１表示領域６１又は第２表示領域６２においてスクロール停止操作を検出すると、スクロール停止操作を検出した表示領域のスクロールを停止させる。そして、スマートフォン１は、他方の表示領域に表示される部分を、スクロール停止操作を検出した表示領域に表示されている部分と対応するように変更する。スクロール停止操作は、例えば、タッチ、又はロングタッチである。
【０１３９】
例えば、第１表示領域６１では第１画像の中央に近い部分がスクロールされており、第２表示領域６２ではまだ第１画像の先頭に近い部分がスクロールされているものとする。このとき、第１表示領域６１でスクロール停止操作を検出すると、スマートフォン１は、第１表示領域６１には、第１画像の中央に近い部分を表示させ、さらに、第２表示領域６２にも、第１画像の中央に近い部分を第２画像として表示させる。一方、第２表示領域６２でスクロール停止操作を検出すると、スマートフォン１は、第２表示領域６２には、第１画像の先頭に近い部分を第２画像として表示させ、さらに、第１表示領域６１にも、第１画像の先頭に近い部分を表示させる。
【０１４０】
このように、スマートフォン１は、第１表示領域６１に対するスクロール操作を検出すると、操作に応じた第１速度で第１表示領域６１をスクロールし、第１速度よりも遅い第２速度で第２表示領域６２をスクロールさせる。これにより、利用者は、第１表示領域６１のスクロール操作が意図せずに高速になってしまった場合でも、低速でスクロールしている第２表示領域６２で表示内容を確認しながら、所望の位置でスクロールを停止させることができる。
【０１４１】
ステップＳ７４では、利用者の指Ｆ１が、スクロール速度の遅い第２表示領域６２に対してスクロール停止操作を行っている。ステップＳ７４に示す例では、利用者の指Ｆ１が、第２表示領域６２にスクロール表示されている第２画像の「きちつ」に対応した領域でスクロール停止操作を行っている。スマートフォン１は、ステップＳ７５として、第２表示領域６２のスクロールを停止させ、さらに、第１表示領域６１に表示される第１画像の部分を「きちつ」に対応した領域が含まれる部分に変更して、第２表示領域６２のスクロールを停止させている。
【０１４２】
図１９を参照しながら、スマートフォン１による表示制御の第７の例の処理手順について説明する。図１９は、スマートフォン１による表示制御の第７の例の処理手順を示すフローチャートである。図１９に示す処理手順は、コントローラ１０が制御プログラム９Ａを実行することによって実現される。図１９に示す処理手順は、コントローラ１０がディスプレイ２Ａに画面６０を表示させるときに実行される。
【０１４３】
図１９に示すように、スマートフォン１のコントローラ１０は、ステップＳ７０１として、画面６０の第１表示領域６１に第１画像を表示させる。さらに、コントローラ１０は、第１画像のうち、第１表示領域６１に表示している部分に対応する領域を第２画像として第２表示領域６２に表示する。コントローラ１０は、ステップＳ７０２として、第１表示領域６１に対するスクロール操作を検出したかを判定する。スクロール操作を検出した場合（ステップＳ７０２，Ｙｅｓ）、コントローラ１０は、ステップＳ７０３に進む。コントローラ１０は、ステップＳ７０３として、スクロール操作に応じた第１速度で表示領域６１をスクロールさせる。コントローラ１０は、ステップＳ７０４として、第２速度で表示領域６２をスクロールさせる。スクロール操作を検出していない場合（ステップＳ７０２，Ｎｏ）、ステップＳ７０３及び７０４は実行されない。
【０１４４】
コントローラ１０は、ステップＳ７０５として、スクロール操作以外の操作を検出したかを判定する。スクロール操作以外の操作を検出した場合（ステップＳ７０５，Ｙｅｓ）、コントローラ１０は、ステップＳ７０６に進む。コントローラ１０は、ステップＳ７０６として、操作に応じた処理を実行する。スクロール操作以外の操作を検出していない場合（ステップＳ７０５，Ｎｏ）、ステップＳ７０６は実行されない。
【０１４５】
その後、コントローラ１０は、ステップＳ７０７として、画面６０を別の画面に変更するかを判定する。画面６０を別の画面に変更する場合には、例えば、利用者が画面を切り替える操作を行った場合、及び割り込み処理によって強制的に画面を切り替える場合が含まれる。画面６０を別の画面に変更しない場合（ステップＳ７０７，Ｎｏ）、コントローラ１０は、ステップＳ７０２に戻る。画面６０を別の画面に変更する場合（ステップＳ７０８，Ｙｅｓ）、コントローラ１０は、図１９に示す処理手順を終了させる。
【０１４６】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【０１４７】
例えば、図５に示した各プログラムは、複数のモジュールに分割されていてもよいし、他のプログラムと結合されていてもよい。
【０１４８】
上記の実施形態では、タッチスクリーンを備える電子機器の例として、スマートフォンについて説明したが、添付の請求項に係る電子機器は、スマートフォンに限定されない。添付の請求項に係る電子機器は、スマートフォン以外の電子機器であってもよい。電子機器は、例えば、モバイルフォン、タブレット、携帯型パソコン、デジタルカメラ、メディアプレイヤ、電子書籍リーダ、ナビゲータ、及びゲーム機を含むが、これらに限定されない。添付の請求項に係る電子機器は、据え置き型の電子機器であってもよい。据え置き型の電子機器は、例えば、デスクトップパソコン、自動預入支払機（ＡＴＭ）、及びテレビ受像器を含むが、これらに限定されない。
【０１４９】
上記の実施形態では、スマートフォン１は、第２表示領域６２を、第１表示領域６１の右側又は下側に配置する場合について説明したが、第２表示領域６２の配置はこれに限定されない。スマートフォン１は、例えば、第２表示領域６２を、第１表示領域６１の上側、左側、操作位置の近傍等に配置してもよい。
【０１５０】
上記の実施形態では、スマートフォン１は、第２表示領域６２が画面６０における第１表示領域６１以外の表示領域である場合について説明したが、これに限定されない。例えば、スマートフォン１は、第１表示領域６１を画面６０の表示領域全体とし、第２表示領域６２を画面６０の一部に重ねて表示する他の画面となるように構成されてもよい。
【０１５１】
画面６０の第１表示領域６１に初めて第１画像を表示させる際に、第２表示領域６２に何を表示させるか、又は何も表示させないかは、適宜変更してもよい。例えば、第１表示領域６１に初めて第１画像を表示させる際には、第１表示領域６１及び第２表示領域６２を１つの表示領域として扱って、これらを跨いで第１画像を表示し、第１表示領域６１での所定の操作を検出した場合に、操作を検出した位置に関する情報を第２表示領域６２にしてもよい。あるいは、第１表示領域６１に初めて第１画像を表示させる際には、第２表示領域６２にはなにも表示せず、第１表示領域６１での所定の操作を検出した場合に、操作を検出した位置に関する情報を第２表示領域６２にしてもよい。
【０１５２】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【０１５３】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  地図アプリケーション
９Ｃ  ブラウザアプリケーション
９Ｚ  設定データ
１０  コントローラ
１１  スピーカ
１２、１３  カメラ
１４  コネクタ
１５  加速度センサ
１６  方位センサ
１７  ジャイロスコープ
２０  ハウジング
【図１】
2015106181.tif 000003
【図２】
2015106181.tif 000004
【図３】
2015106181.tif 000005
【図４】
2015106181.tif 000006
【図５】
2015106181.tif 000007
【図６】
2015106181.tif 000008
【図７】
2015106181.tif 000009
【図８】
2015106181.tif 000010
【図９】
2015106181.tif 000011
【図１０】
2015106181.tif 000012
【図１１】
2015106181.tif 000013
【図１２】
2015106181.tif 000014
【図１３】
2015106181.tif 000015
【図１４】
2015106181.tif 000016
【図１５】
2015106181.tif 000017
【図１６】
2015106181.tif 000018
【図１７】
2015106181.tif 000019
【図１８】
2015106181.tif 000020
【図１９】
2015106181.tif 000021